(57)【要約】  本発明は、書類に使用できるプライバシーフィルムに関する。該プライバシーフィルムは、対向する第１及び第２表面を有する、光透過性、高分子ベースシートを有する。複数の光配向素子が、ベースシートの第１表面から突出する。ベースシートは、第１高分子材料から作ることができる。光配向素子は、第２高分子材料から作ることができる。第１及び第２高分子材料は、同一の材料であってもよい。光配向素子は、その横断方向において実質的に一定であり、互いに実質的に平行に配置される。
2009511992.tif 000002
【特許請求の範囲】
【請求項１】
第１高分子材料を含む光透過性高分子ベースシートであって、対向する第１及び第２表面を有するベースシートと、
第２高分子材料を含む複数の光配向素子であって、各素子が基部、高さｈ、及び、前記高さに沿って配置される短軸を有し、前記素子が前記ベースシートの前記第１表面から突出し、ある素子の短軸が隣接する素子の短軸とほぼ平行であり、かつある素子の基部が隣接する素子の基部と接合しない光配向素子と、
を備えるプライバシーフィルム。
【請求項２】
前記素子は傾斜角が約１５°を超え、約９０°未満で前記ベースシート上に配置され、前記傾斜角が前記ベースシートの前記第１表面と前記素子の短軸の間に形成される、請求項１に記載のプライバシーフィルム。
【請求項３】
前記素子が、ある素子と隣接する素子との中心間距離Ｐを有し、ｈ：Ｐ比が約０．５〜５である、請求項１に記載のプライバシーフィルム。
【請求項４】
前記素子が、短軸に対して垂直に測定される、約２５ミクロンを超え、約７５０ミクロン未満の幅を有する、請求項１に記載のプライバシーフィルム。
【請求項５】
前記素子の断面寸法がほぼ一定である、請求項１に記載のプライバシーフィルム。
【請求項６】
前記素子が光反射材料をさらに含む、請求項５に記載のプライバシーフィルム。
【請求項７】
前記光反射材料が、二酸化チタン、酸化亜鉛、硫化亜鉛、リン酸亜鉛、炭酸カルシウム、アルミナ、シリカ、酸化アンチモン、硫酸バリウム、リソペン（lithopene）、焼成カオリン、炭酸鉛、酸化マグネシウム、及びこれらの組み合わせから成る群から選択される、請求項６に記載のプライバシーフィルム。
【請求項８】
前記素子が、その先端部にコーティングされた光吸収材料をさらに備える、請求項７に記載のプライバシーフィルム。
【請求項９】
前記第１又は第２高分子材料が、熱可塑性ポリマー類及びエラストマー類から成る群から選択される、請求項１に記載のプライバシーフィルム。
【請求項１０】
前記熱可塑性ポリマーが、ポリプロピレン、ポリエチレン、ポリスチレン、ポリカーボネート、ポリメチルメタクリレート、エチレンビニルアセテートコポリマー類、アクリレート変性エチレンビニルアセテートポリマー類、エチレンアクリル酸コポリマー類、ナイロン、ポリ塩化ビニル及びこれらの組み合わせから成る群から選択される、請求項９に記載のプライバシーフィルム。
【請求項１１】
前記第１高分子材料が前記第２高分子材料と異なる、請求項１に記載のプライバシーフィルム。
【請求項１２】
前記第１高分子材料が、前記第２高分子材料とほぼ同一である、請求項１に記載のプライバシーフィルム。
【請求項１３】
前記素子が、前記ベースシートの前記第１表面に対しての遠位の第１領域と、近位の第２領域とを備える、請求項１に記載のプライバシーフィルム。
【請求項１４】
前記第１領域の高さの前記第２領域の高さに対する比が、約３：０．１以上である、請求項１３に記載のプライバシーフィルム。
【請求項１５】
前記第１領域が光吸収材料を含み、前記第２領域が光反射材料を含む、請求項１３に記載のプライバシーフィルム。
【請求項１６】
前記光反射材料が、二酸化チタン、酸化亜鉛、硫化亜鉛、リン酸亜鉛、炭酸カルシウム、アルミナ、シリカ、酸化アンチモン、硫酸バリウム、リソペン、焼成カオリン、炭酸鉛、酸化マグネシウム、及びこれらの組み合わせから成る群から選択され、かつ
前記光吸収材料が、カーボンブラック、スピネルブラック、ルチルブラック、鉄黒及びこれらの組み合わせから成る群から選択される、請求項１５に記載のプライバシーフィルム。
【請求項１７】
前記ベースシートの前記第２表面上に配置された光透過性接着剤をさらに備える、請求項１に記載のプライバシーフィルム。
【請求項１８】
前記接着剤が再配置可能な接着剤である、請求項１７に記載のプライバシーフィルム。
【請求項１９】
前記第１又は第２高分子材料が、約０．５を超え、約２００未満のメルトインデックスを有する、請求項１に記載のプライバシーフィルム。
【請求項２０】
前記素子が先端部を有し、ある素子の先端部の位置が、前記ベースシートの第１表面に垂直な線に沿うようにとった際に、隣接する素子の基部に隣接する、請求項１に記載のプライバシーフィルム。
【請求項２１】
前記素子が先端部を有し、ある素子の先端部の位置が、前記ベースシートの第１表面に垂直な線に沿うようにとった際に、隣接する基部上に張り出す、請求項１に記載のプライバシーフィルム。
【請求項２２】
前記素子がその先端に延在部を備える、請求項１に記載のプライバシーフィルム。
【請求項２３】
前記素子の断面寸法が一定でない、請求項１に記載のプライバシーフィルム。
【請求項２４】
各素子の傾斜角がフィルム全体にわたって実質的に一定である、請求項２に記載のプライバシーフィルム。
【請求項２５】
各光配向素子の傾斜角が、隣接する傾斜角と実質的に同様である、請求項２に記載のプライバシーフィルム。
【請求項２６】
前記傾斜角が、前記フィルムのある部分と前記フィルムの別の部分で異なる、請求項２５に記載のプライバシーフィルム。
【請求項２７】
前記素子の高さが実質的に同様である、請求項１に記載のプライバシーフィルム。
【請求項２８】
前記素子の高さが異なる、請求項１に記載のプライバシーフィルム。
【請求項２９】
ある素子の高さが、隣接する素子の高さの約７５％〜９５％である、請求項２８に記載のプライバシーフィルム。
【請求項３０】
前記ベースシートと前記光反射素子が、二酸化チタン、酸化亜鉛、硫化亜鉛、リン酸亜鉛、炭酸カルシウム、アルミナ、シリカ、酸化アンチモン、硫酸バリウム、リソペン、焼成カオリン、炭酸鉛、酸化マグネシウム、及びこれらの組み合わせから成る群から選択される光反射材料をさらに含む、請求項１に記載のプライバシーフィルム。
【請求項３１】
前記ベースシートと前記光配向素子に用いられる光反射材料の量が実質的に等しい、請求項３０に記載のプライバシーフィルム。
【請求項３２】
前記光配向素子が遮断部を備える、請求項１に記載のプライバシーフィルム。
【請求項３３】
前記遮断部が均一、又は不均一、又はこれらの組み合わせである、請求項３２に記載のプライバシーフィルム。
【発明の詳細な説明】
【技術分野】
【０００１】
本発明はプライバシーフィルムに関する。特に、本発明は、複数の光配向素子を有する高分子系プライバシーフィルムであって、各素子が隣接する光配向素子と実質的に平行に配置され、該フィルムが書類への使用に非常に適したプライバシーフィルムに関する。
【背景技術】
【０００２】
消費者にプライバシーを提供することのできる製品が増加してきた。例えば、今日では、大部分のパソコン及び現金自動預払機が、ユーザーにはモニター上の画像を閲覧できるが、同時に第三者の視野は制限される、又は少なくともスクリーンの視野角においては見えない、プライバシースクリーンを備えることは非常に一般的である。その幾つかは、光制御フィルムを用いて、機密資料を含む書類を有するユーザーにプライバシーを提供してきた。ユーザーが書類上の画像を閲覧できるが、第三者は書類の内容の閲覧が制限されることも、同様の考えである。
【発明の開示】
【発明が解決しようとする課題】
【０００３】
当該技術分野は、ユーザーにプライバシーを提供する目的にも役立つ、様々な光制御フィルムを開示する。しかしながら、書類プライバシーが消費者にとってますます望ましくなっているため、当業者はこの所望の特性を実現する様々な解決法を模索している。従って、新たなプライバシーフィルム構造に対する必要性が継続している。
【課題を解決するための手段】
【０００４】
本発明は、書類に使用して、閲覧者が書類の情報を読むことができる角度を制限することのできる、プライバシーフィルムを提供する。特に、プライバシーフィルムが、視野角がユーザーの視線と一致するような使用方向に設置される場合、ユーザーは書類の内容を閲覧することができるが、他者は、書類の内容の閲覧が制限されるであろう。
【０００５】
ある様態では、本発明は、（ｉ）第１高分子材料、対向する第１及び第２表面を有するベースシート、並びに（ｉｉ）第２高分子材料を含む複数の光配向素子であって、各素子が基部、高さｈ、及び該高さに沿って配置される短軸を有し、該素子が該ベースシートの該第１表面から突出し、ある素子の短軸が隣接する素子の短軸に対して実質的に平行であるように各素子が配置され、かつある素子の基部が隣接する素子の基部と接合しない光配向素子を備える、光透過性、高分子ベースシートを備えるプライバシーフィルムに関する。別の様態では、プライバシーフィルムは細長い光配向素子を備える。
【０００６】
本明細書で使用する時、「光透過性」という用語は、可視光を透過する能力を意味する。ある実施形態では、光透過性ベースシートは、バージニア州レストン（Reston）のハンター・アソシエーツ・ラボラトリー社（Hunter Associates Laboratory, Inc.）から市販されている、ハンターラブ・マスター・カラーデータプログラム（HuterLab Master Color Data Program）を備えたラブスキャン６０００テスター（Lab Scan 6000 Tester）を用いて測定した場合、９０以下の不透明度を有する。光配向素子に関して、「細長い」という用語は一般に、素子がレール様の外観を有することを意味する。レールは、プライバシーフィルムの全長に沿って連続であっても、あるいは不連続であってもよい。ある実施形態では、不連続光配向素子は、例えばキノコの茎部のような外観の軸を有する分離体である。
【０００７】
本発明の利点の一つは、比較的製造が容易な可撓性構造にプライバシー特性を提供することである。プライバシーフィルムは、非永続的方式で書類に速やかに取り付けることができる。さらに、プライバシーフィルムは耐久性があるため、繰り返し使用できる。
【０００８】
本明細書では、「約」という用語が全ての数値を修飾していると見なす。
【発明を実施するための最良の形態】
【０００９】
図１は、機密情報を含む可能性のある基部５０上に配置される細長い光配向素子１８を有するプライバシーフィルム１０を示す、本発明のある代表的な実施形態の斜視図である。ある実施形態では、プライバシーフィルムは光透過性接着剤（図示せず）を用いて取り付けることができる。素子は、長軸Ｌと短軸ｌを有する。ある代表的な基部は、書類の所有者が閲覧を制限したい秘密情報の書かれた書類である。
【００１０】
使用時に、本発明のプライバシーフィルムは、長軸Ｌが書類の画像又は文章の線に実質的に平行であるように、書類上に配置される。例えば、縦方向で２１．６ｃｍ（８．５インチ）×２８ｃｍ（１１インチ）の紙上に、文章が紙の２１．６ｃｍ（８．５インチ）側に実質的に平行に書かれた場合、プライバシーフィルムは、長軸もまた同方向に沿うような向きに置かれるであろう。プライバシーフィルムは一時的に書類上に配置されてもよく、これは該フィルムが基部に損傷を与えることなく基部から取り外し可能であることを意味する、又は永続的に配置されてもよく、これはプライバシーフィルムを取り外すと大抵書類を損傷させるであろうことを意味する。書類にプライバシーフィルムを取り付ける又は配置するための様々な手段が存在する。例えば、接着剤を用いることができる。接着剤は、感圧性又はホットメルトであってよい。接着剤は、再配置可能な接着剤であってよく、これは、基部を損傷させることなく、かつ再配置可能な接着剤の接着力を著しく失うことなく、接着剤を基部に複数回適用し、取り外すことができることを意味する。別の用途では、プライバシーフィルムはポケットとして形成され、この場合プライバシーフィルムが前面を、高分子裏材又はプライバシーフィルムが裏面を形成し、プライバシーフィルム及び裏材は３つの側部が貼り付けられ、４番目の側部、通常上側部は、書類の出し入れのために開放したまま残される。他の形状を用いることもできる。
【００１１】
光配向素子は光透過を妨げ、それにより本発明のフィルムのプライバシー特性を実現する。光反射及び／又は光吸収材料のような旋光性物質を含んでもよい。光配向素子の形状、間隙、及び旋光性物質は、以下で詳細に論じられる。
【００１２】
ある代表的な実施形態では、光配向素子の高さは実質的にプライバシーフィルムと同一である。製造条件により、素子の高さは多少変動してもよい。別の代表的な実施形態では、素子の高さは、プライバシーフィルムのある領域と別の領域で、及びある素子と隣接する素子とでさえ異なる。高さの変動については、一般にある素子は別の素子の高さの７５％〜９５％であろうことを意味する。図３は一般に、高さの変動した光反射素子を有する実施形態を図解する。
【００１３】
図２は、図１のプライバシーフィルムの、線２−２に沿った断面図を示す。プライバシーフィルムは、対向する第１表面１４と第２表面１６と境界線１３を有するベースシート１２を備える。光配向素子１８は、ベースシートの第１表面から突出する。図２は、境界線１３が第１表面１４と同一直線上にあるように示しているが、該線は様々な位置にあってよい。各光配向素子は、高さｈ、幅Ｗ、及びある素子と隣接する素子の中心間距離Ｐを有する。高さｈは、ベースシートの第１表面１４から先端部２０まで短軸ｌに沿って測定される。幅Ｗは短軸に対して垂直に測定される。
【００１４】
ある代表的な実施形態では、ｈとＰの比（ｈ：Ｐ）は０．５を超える。別の実施形態では、ｈ：Ｐは５未満である。ある実施形態では、ベースシートの第１表面の近位で測定した場合、光配向素子の幅は２５ミクロンを超える。別の実施形態では、幅は７５０ミクロン未満である。図２の実施形態では、光配向素子はベースシート上に傾斜角θで配置される。傾斜角は、第１表面１４と各光配向素子の短軸の間の角度である。ある実施形態では、傾斜角は１５°を超える。別の実施形態では、傾斜角は９０°未満である。さらに別の実施形態では、傾斜角は４０°〜８５°で変動する。さらに別の実施形態では、傾斜角は５５°〜７５°で変動する。必要に応じて、基部への取り付けのために、ベースシートの第２表面上に接着剤２２が備えられる。この特定の実施形態の光配向素子の断面寸法は実質的に均一であるが、素子の先端部２０に向かってわずかな抜き勾配（即ち、わずかな狭小化）が存在してもよい。また、図２に示すように、２つの隣接する光配向素子の配置は、ある素子の先端部が、ベースシートの第１表面に垂直な想像線（破線Ｎで示す）に沿って、次の素子の基部（参照文字ｂで示す）に隣接するように置かれる。光配向素子がプライバシー特性をもたらし、ｈ：Ｐ比が既定の範囲内に落ちる限り、他の配置構成も使用することができる。この特定の実施形態では、光配向素子は、光吸収材料又は光反射材料のいずれかを含む。
【００１５】
好適な光反射材料としては、例えば、二酸化チタン、酸化亜鉛、硫化亜鉛、リン酸亜鉛、炭酸カルシウム、アルミナ、シリカ、酸化アンチモン、硫酸バリウム、リソペン（硫酸バリウムと酸化亜鉛の共沈物）、焼成カオリン、炭酸鉛、酸化マグネシウム、及びこれらの組み合わせが挙げられる。好適な光吸収材料としては、例えばカーボンブラック、スピネルブラック、ルチルブラック、鉄黒、及びこれらの組み合わせが挙げられる。光反射材料を用いる場合、全体１００重量部を基準として、１〜５０重量部をポリマー樹脂に添加して、光配向素子を形成する。幾つかの実施形態では、１〜１５重量部を用いる。他の実施形態では、２〜１０重量部を用いる。光吸収材料を用いる場合、全体１００重量部を基準として、０．１〜５０重量部をポリマー樹脂に添加して、光配向素子を形成する。幾つかの実施形態では、１〜１５重量部の光吸収材料を用いる。他の実施形態では、１〜５重量部を用いる。以下でさらに論じるように、光反射材料と光吸収材料の組み合わせを用いて、個々の光配向素子を形成することができる。他の実施形態では、着色顔料、蛍光着色剤及び光沢剤を光配向素子に添加してもよい。
【００１６】
図３は、本発明の別の実施形態の横断面図を示し、この場合プライバシーフィルム１００は、対向する第１表面１１４と第２表面１１６を有するベースシート１１２を備える。光配向素子１１８は、ベースシートの第１表面から突出している。境界面１１３は、わずかに光配向素子内に存在する。この特定の実施形態では、光配向素子は、ベースシートの第１表面に対して遠位に配置される第１部分１１９、第１表面に対して近位に配置される第２部分１１７、及び第１表面から線１１３までの第３部分を備える。幾つかの実施形態では、ベースシートと第３部分の組成は類似しており、同一である場合さえある。線１１５は、第１部分と第２部分の境界を画定する。第１部分は光吸収材料を備え、第２部分は光反射材料を備える。第１部分の高さはｌ１１９で示される、線１１５と先端部の間の、素子の短軸に沿った距離である。第２部分の高さはｌ１１７で示される、線１１３と１１５の間の、素子の短軸に沿った距離である。ある実施形態では、ｌ１１９とｌ１１７の比は３〜０．１である。２つの隣接する光配向素子は、ある素子の先端部が隣接する基部と重なる想像線Ｎに沿って配置される。図２の光配向素子は、実質的に直線状の縁部を有する先端部を備えるが、図３に示すように先端部は曲線状であってもよい。プライバシー特性をもたらすために、光配向素子が光透過を妨げる限り、他の形状も使用することができる。
【００１７】
図４は、本発明の別の実施形態の横断面図を示し、この場合プライバシーフィルム２００は、対向する第１表面２１４と第２表面２１６、及び境界線２１３を有するベースシート２１２を備える。光配向素子２１８は第１表面から突出している。光配向素子の先端部に、光吸収コーティング２１９が適用されている。コーティングは、光配向素子の側部に移動してもよい。この特定の実施形態では、光配向素子は光反射材料を含んでもよい。コーティングは、既知のコーティング技術を用いて素子に適用することができる。ある実施形態では、コーティングの乾燥厚さは０．０１〜１．０ｍｍである。ある実施形態では、光吸収コーティングは、インクジェット印刷、カラーインクジェット印刷、レーザー印刷、及び染料若しくは物質転写のようなデジタル印刷法、又はオフセット印刷、フレキソ印刷及びグラビアのような従来の印刷技術を用いて先端部に適用される。素子の先端部は、印刷過程で用いられるインク又は染料を受容する。
【００１８】
図５は、本発明の別の実施形態の横断面図を示し、この場合プライバシーフィルム３００は、対向する第１表面３１４と第２表面３１６を有するベースシート３１２を備える。光配向素子３１８は、ベースシートの第１表面から突出している。理解しやすいように、断面図に５つの光配向素子のみを示す。この特定の実施形態では、各光配向素子の傾斜角は隣接する素子の傾斜角と異なる。例えば、傾斜角θ１は傾斜角θ２と類似しているであろう。例えば、θ１は９０°であってよく、一方θ１は８８°であってよい。従って、これら２つの光配向素子は実質的に互いに平行であるであろう。しかしながら、５番目の光配向素子の傾斜角θ５は、１番目の光配向素子の傾斜角とは非常に異なる場合がある。この図では、θ１が９０°の場合、θ５は６０°であってもよいため、第１光配向素子は第５光配向素子と平行であるとは見なされない。傾斜角変化の変動幅は、傾斜角の変動を図解するために、この図では誇張されている。
【００１９】
図６は、本発明のさらに別の実施形態の横断面図を示し、この場合プライバシーフィルム４００は、対向する第１表面４１４と第２表面４１６、及び境界線４１３を有するベースシート４１２を備える。光配向素子４１８は第１表面から突出している。各光配向素子は、ベースシートの第１表面に対して遠位の第１部分４１９と、第１表面に対して近位の第２部分４１７を有する。線４１５は、第１部分と第２部分の境界を画定する。線４１３は、第２部分と第３部分の境界を画定する。第１部分は、逆さまの「Ｌ」に類似した、片側延伸部を有する。延伸部は全て同じ側に、例えば全て左向き、又は全て右向き（図に示すように）であってもよく、又は左向きと右向きが交互でもよい。延伸部はまた、ランダムに左若しくは右を向いてもよく、左側と右側の間の角度は任意であってよい。換言すれば、見えるものすべてが第１部分４１９となるように、図６の実施形態を上方から見ると、それは３６０°の間を任意の様々な角度で回転していてもよい。ある実施形態では、第１及び第２部分の少なくとも１つは光反射材料を含む。別の実施形態では、第１部分は光吸収材料を含み、第２部分は光反射材料を含む。さらに別の実施形態では、異なる光配向素子の組み合わせを用いて、例えば図２、３及び６に示す素子のように、プライバシーフィルムを形成する。
【００２０】
図１は、書類の長さに沿って連続的に延びる、細長いレールのような光配向素子を示す。他の実施形態では、素子は遮断部を備えてもよく、特定の長さのいずれかの素子では均一な遮断部が生じ、ランダムな長さのいずれかの素子では不均一な遮断部が生じる。全ての様々な素子の中で、基部全体の長さにわたって連続的である光配向素子が存在してもよい。例えば、図７は、基部５５０上に配置された、実例となるプライバシーフィルム５００を示す。プライバシーフィルムは、左側に均一な遮断部を有し、右側に不均一な遮断部を有する光配向素子５１８を備える。フィルムの全長にわたって連続的な光配向素子の間が遮断されている。
【００２１】
全ての実施形態のベースシートは光透過性であるが、光反射材料を含んでもよい。ベースシートに用いられる光反射材料の量は、必ずしもそうでなくともよいが、光配向素子中に用いられる量と同様であってよい。同様の量を用いる利点は、以下でさらに記載するように、複数の押出成形機を用いず、単一押出成形機を用いるように、プライバシーフィルムの製造過程を単純化できることである。実質的に同量を用いる場合、下に存在する書類の可読性に悪影響を及ぼすことなく、フィルムにプライバシー特性を付与するのに十分な量を、注意して選択すべきである。
【００２２】
本発明の光配向素子は、様々な方法で製造することができる。ある代表的な方法では、本発明のプライバシーフィルムは、例えば放電加工により、開口切断部を有するダイを通じて高分子ウェブを押し出すことにより形成できる。ウェブは、ベースシートと、その上に配置される光配向素子を備える。
【００２３】
ダイの開口部形状は、所望の横断面の形状又は輪郭を有するウェブを生成するように設計される。ウェブは、ダイの開口部を離れた後、それを水のような急冷材料を通して引っ張られることにより急冷されてもよい。湿潤剤を急冷溶質に添加して、光配向素子の間に間隙を備える押出ウェブの表面全体を湿潤させてもよい。押出ウェブは、例えば、光吸収コーティングを素子の先端部に適用すること（図４に示すように）により、又は押出素子を切断し、ウェブを伸長させて不連続な光配向素子を形成することにより、さらに加工されてもよい。
【００２４】
ベースシートと光配向素子の材料が異なる場合のように、又は光配向素子が複数の部分を備える（例えば、図３及び６参照）場合のように、本発明のプライバシーフィルムが複数の異なる層を備える場合、フィルムは、例えば国際特許出願第９９／１７６３０号に記載のような共押出技術により形成することができる。共押出技術は、様々な溶解物流を、様々な押出成形機から複数マニホールドダイ又は複数層フィードブロック、及びフィルムダイへ通過させることを含んでもよい。個々の流れはフィードブロック中で融合し、そして積層としてダイの中に入り、これは、材料がダイを離れる際には流出して多層シートになる。
【００２５】
プライバシーフィルムを形成するのに用いられる好適な材料としては、熱可塑性ポリマー類及びエラストマー類が挙げられる。好適な熱可塑性ポリマー類としては、例えば、ポリプロピレン又はポリエチレンのようなポリオレフィン類、ポリスチレン、ポリカーボネート、ポリメチルメタクリレート、エチレンビニルアセテートコポリマー類、アクリレート変性エチレンビニルアセテートポリマー類、エチレンアクリル酸コポリマー類、ナイロン、ポリ塩化ビニル、及びポリケトン類又はポリメチルペンタン類のようなエンジニアリングポリマー類が挙げられる。好適なエラストマー類としては、例えば、天然又は合成ゴム、イソプレンを含むスチレンブロックコポリマー類、ブタジエン、又は、エチレン（ブチレン）ブロック類、メタロセン触媒ポリオレフィン類、ポリウレタン、及びポリジオルガノシロキサン類が挙げられる。熱可塑性ポリマー類とエラストマー類の混合物を用いてもよい。
【実施例】
【００２６】
以下の実施例では、全ての重量は重量部により表される。光配向素子は、デイビス−スタンダード（Davis-Standard）６．４ｃｍ（２．５インチ）単軸押出成形機（ＳＳＥ）及び／又は１．９１ｃｍ（０．７５インチ）キリオン（Killion）ＳＳＥを用いて押出し、ベースシートはデイビス−スタンダード（Davis-Standard）３．８ｃｍ（１．５インチ）ＳＳＥを用いて押出した。使用した成分を表１に列挙する。
【００２７】
【表１】
2009511992.tif 000003
【００２８】
（実施例１）
デイビス・スタンダード６．４ｃｍ（２．５インチ）ＳＳＥホッパーのホッパーに、９２部のバーゼル・プロファックス（BASELL PRO-FAX）７５２３ポリプロピレン樹脂と８部のクラリアント（CLARIANT）白色顔料濃縮物を添加した。デイビス・スタンダード３．８ｃｍ（１．５インチ）ＳＳＥホッパーのホッパーに、バーゼル・プロファックス（BASELL PRO-FAX）７５２３ポリプロピレン樹脂を添加した。６．４ｃｍ（２．５インチ）ＳＳＥを、１１５ｒａｄ／ｓ（１５旋回／分（ＲＰＭ））の速度で実行し、３．８ｃｍ（１．５インチ）ＳＳＥを２．４ｒａｄ／ｓ（２３ＲＰＭ）の速度で実行した。共押出ウェブは、成形出口オリフィスを通じてダイから出て、次に、１％の湿潤剤を含有し、実際の水温が８０°Ｆである水浴中で急冷された。
【００２９】
得られたプライバシーフィルムを、かみそりの刃でウェブ横断方向に切断した。光学顕微鏡を用いて、ベースシートの厚さが７４μｍであることを測定した。光配向素子の中心間距離は３４５μｍであり、高さは６０５μｍであり、幅は１２０μｍであり、傾斜角は７０°であった。光配向素子のほぼ全長は、実質的に９２部のバーゼル・プロファックス（BASELL PRO-FAX）７５２３と８部のクラリアント（CLARIANT）白色顔料濃縮物から成り、基層は実質的にバーゼル・プロファックス（BASELL PRO-FAX）７５２３から成っていた。
【００３０】
（実施例２）
デイビス・スタンダード６．４ｃｍ（２．５インチ）ＳＳＥホッパーのホッパーに、７０部のバーゼル・プロファックス（BASELL PRO-FAX）７５２３ポリプロピレン樹脂と３０部のクラリアント（CLARIANT）白色顔料濃縮物を添加した。デイビス・スタンダード３．８ｃｍ（１．５インチ）ＳＳＥホッパーのホッパーに、７０部のバーゼル・プロファックス（BASELL PRO-FAX）７５２３ポリプロピレン樹脂と３０部のクラリアント（CLARIANT）白色顔料濃縮物を添加した。キリオン（Killion）１．９１ｃｍ（０．７５インチ）ＳＳＥに、バーゼル・プロファックス（BASELL PRO-FAX）７５２３ポリプロピレン樹脂を添加した。６．４ｃｍ（２．５インチ）ＳＳＥを、１．４ｒａｄ／ｓ（１３ＲＰＭ）の速度で実行し、３．８ｃｍ（１．５インチ）ＳＳＥを１．２ｒａｄ／ｓ（１１ＲＰＭ）の速度で実行し、及び１．９１ｃｍ（０．７５インチ）ＳＳＥを５．２ｒａｄ／ｓ（５０ＲＰＭ）の速度で実行した。共押出ウェブは、成形出口オリフィスを通じてダイから出て、次に、１％の湿潤剤を含有し、実際の水温が８３°Ｆである水浴中で急冷された。
【００３１】
得られたプライバシーフィルムを、かみそりの刃でウェブ横断方向に切断した。光学顕微鏡を用いて、ベースシートの厚さが９０μｍであることを測定した。光配向素子の中心間距離は３６０μｍであり、高さは７００μｍであり、幅は１２０μｍであり、傾斜角は５４°であった。光配向素子のほぼ全長は、実質的に７０部のバーゼル・プロファックス（BASELL PRO-FAX）７５２３と３０部のクラリアント（CLARIANT）白色顔料濃縮物から成り、基層は実質的にバーゼル・プロファックス（BASELL PRO-FAX）７５２３から成っていた。
【００３２】
（実施例３）
デイビス・スタンダード６．４ｃｍ（２．５インチ）ＳＳＥホッパーのホッパーに、９６部のバーゼル・プロファックス（BASELL PRO-FAX）７５２３ポリプロピレン樹脂と４部の黒色顔料濃縮物を添加した。デイビス・スタンダード３．８ｃｍ（１．５インチ）ＳＳＥホッパーのホッパーに、７０部のバーゼル・プロファックス（BASELL PRO-FAX）７５２３ポリプロピレン樹脂と３０部のクラリアント（CLARIANT）白色顔料濃縮物を添加した。キリオン（Killion）１．９１ｃｍ（０．７５インチ）ＳＳＥに、バーゼル・プロファックス（BASELL PRO-FAX）７５２３ポリプロピレン樹脂を添加した。６．４ｃｍ（２．５インチ）ＳＳＥを、１．６ｒａｄ／ｓ（１５ＲＰＭ）の速度で実行し、３．８ｃｍ（１．５インチ）ＳＳＥを５．２ｒａｄ／ｓ（５０ＲＰＭ）の速度で実行し、及び１．９１ｃｍ（０．７５インチ）ＳＳＥを１０．５ｒａｄ／ｓ（１００ＲＰＭ）の速度で実行した。共押出ウェブは、成形出口オリフィスを通じてダイから出て、次に、１％の湿潤剤を含有し、実際の水温が２８．３°Ｃ（８３°Ｆ）である水浴中で急冷された。
【００３３】
図３で示したものに類似する、得られたプライバシーフィルムを、かみそりの刃でウェブ横断方向に切断した。光学顕微鏡を用いて、ベースシートの厚さが５６μｍであることを測定した。光配向素子の中心間距離は３４０μｍであり、高さは６４０μｍであり、幅は１３０μｍであり、傾斜角は７０°であった。ベースシートの第一表面に対して遠位にある第一領域の高さは３２３μｍであり、実質的に９６部のバーゼル・プロファックス（BASELL PRO-FAX）７５２３と４部の黒色顔料濃縮物から成っていた。ベースシートの第１表面に対して近位にある第２領域の高さは１９０μｍであり、実質的に７０部のバーゼル・プロファックス（BASELL PRO-FAX）７５２３と３０部のクラリアント（CLARIANT）白色顔料濃縮物から成っていた。ベースシートの第１表面に直接隣接する第３領域の高さは１２４μｍであり、実質的にバーゼル・プロファックス（BASELL PRO-FAX）７５２３から成っていた。第２領域は、第１領域と第３領域の間に挟まれていた。
【００３４】
（実施例４）
デイビス・スタンダード６．４ｃｍ（２．５インチ）ＳＳＥホッパーのホッパーに、９４部のバーゼル・プロファックス（BASELL PRO-FAX）７５２３ポリプロピレン樹脂と６部のクラリアント（CLARIANT）白色顔料濃縮物を添加した。デイビス・スタンダード３．８ｃｍ（１．５インチ）ＳＳＥホッパーのホッパーに、９４部のバーゼル・プロファックス（BASELL PRO-FAX）７５２３ポリプロピレン樹脂と６部のクラリアント（CLARIANT）白色顔料濃縮物を添加した。６．４ｃｍ（２．５インチ）ＳＳＥを、２．９ｒａｄ／ｓ（２８ＲＰＭ）の速度で実行し、３．８ｃｍ（１．５インチ）ＳＳＥを３．１ｒａｄ／ｓ（３０ＲＰＭ）の速度で実行した。共押出ウェブは、成形出口オリフィスを通じてダイから出て、次に、１％の湿潤剤を含有し、実際の水温が２８．３°Ｃ（８３°Ｆ）である水浴中で急冷された。
【００３５】
得られたプライバシーフィルムを、かみそりの刃でウェブ横断方向に切断した。光学顕微鏡を用いて、ベースシートの厚さが１４５μｍであることを測定した。光配向素子の中心間距離は３３０μｍであり、高さは６７０μｍであり、幅は１２０μｍであり、傾斜角は５５°であった。
【００３６】
本発明は、以下の図面を参照することによってよりよく理解され得る。
【図面の簡単な説明】
【００３７】
【図１】本発明のある実施形態の斜視図。
【図２】線２−２に沿った図１のプライバシーフィルムの横断面図。
【図３】複数の部分を備える光配向素子を示す、本発明の別の実施形態の横断面図。
【図４】光吸収コーティングで被覆された光配向素子の先端部を示す、本発明の別の実施形態の横断面図。
【図５】傾斜角が変動する光配向素子を示す、本発明の別の実施形態の横断面図。
【図６】基層に対して平行な方向に細長い、光配向素子の先端部を示す、本発明の別の実施形態の横断面図。
【図７】細長い光配向素子の組み合わせを示す、本発明の別の実施形態の透視図。
【００３８】
これらの図面は尺度通りに描かれておらず、単に例示する目的のものである。
【図１】
2009511992.tif 000004
【図２】
2009511992.tif 000005
【図３】
2009511992.tif 000006
【図４】
2009511992.tif 000007
【図５】
2009511992.tif 000008
【図６】
2009511992.tif 000009
【図７】
2009511992.tif 000010
【国際調査報告】
2009511992.tif 000011
2009511992.tif 000012